(57)【要約】【課題】シール材の開封強度を抑制することができ、シール材を抵抗少なくスムーズに剥離すること。【解決手段】口部２を有する合成樹脂製の容器本体１０を備えたボトル１であって、口部は、ボトル軸方向に延びる口筒部３０と、口筒部の上端開口縁３０ａからボトル軸方向の上方に向けて突出するように形成されると共に、上端面３１ａにシール材２０が固着される環状の突出壁３１とを備え、突出壁は、該突出壁よりも径方向の外側において上端開口縁を露出させるように口筒部の外径よりも小さい外径で形成され、口筒部の外周面には径方向の外側に向けて突出した切断痕４１が形成されているボトル１を提供する。【選択図】図２
2020070074.tif 000002
【特許請求の範囲】
【請求項１】
口部を有する合成樹脂製の容器本体を備えたボトルであって、
前記口部は、
ボトル軸方向に延びる口筒部と、
前記口筒部の上端開口縁から前記ボトル軸方向の上方に向けて突出するように形成されると共に、上端面にシール材が固着される環状の突出壁と、を備え、
前記突出壁は、該突出壁よりも径方向の外側において前記上端開口縁を露出させるように、前記口筒部の外径よりも小さい外径で形成され、
前記口筒部の外周面には、前記上端開口縁に連設されると共に径方向の外側に向けて突出した切断痕が形成されている、ボトル。
【請求項２】
請求項１に記載のボトルにおいて、
前記突出壁は、前記突出壁の外周面と前記切断痕の外端部との間の径方向に沿った間隔よりも、前記突出壁の上端面と前記口筒部の上端開口縁との間の前記ボトル軸方向に沿った間隔の方が大きくなるように形成されている、ボトル。
【請求項３】
請求項１又は２に記載のボトルにおいて、
前記突出壁の上端面は、径方向の沿った幅が０．８ｍｍ以上、１．５ｍｍ以下の範囲内とされている、ボトル。
【発明の詳細な説明】
【技術分野】
【０００１】
本発明は、ボトルに関する。
【背景技術】
【０００２】
従来から、合成樹脂製ボトルとして、パリソンを利用した押出しブロー成形によって形成される押出しブローボトルが知られている。この種の押出しブローボトルにおいて、口部を形成する場合には、押出しブロー成形後の後加工によって口部を形成する場合と、押出しブロー成形と同時に口部を形成する場合と、に大別される。
後加工によって口部を形成する方法としては、例えばクリンプカット加工やドリル加工等が知られているが、いずれの方法であっても後加工で行うので、ボトル内への異物混入に繋がる可能性がある。
【０００３】
これに対して、押出しブロー成形と同時に口部を形成する方法としては、例えばＵＰＩ（アッパープラグイン）成形等が挙げられ、ボトル内への異物混入の可能性が低い方法として知られている。一般的にＵＰＩ成形は、成形金型に挟持されたパリソンの上方からプラグを押し込み、成形金型とプラグとによって構成される喰切り部分によって、不要部分を切断、除去することで口部を形成する方法である。
【０００４】
例えば下記特許文献１には、口筒部がＵＰＩ成形によって形成された押出しブローボトルが開示されている。口筒部の上端面は、内側周部に比較して外側周部が下位に位置するように形成されている。また、内側周部の外周縁部には、ＵＰＩ成形時に除去した不要部分の切断痕が形成されている。
【先行技術文献】
【特許文献】
【０００５】
【特許文献１】特開２００８−１１０７９１号公報
【発明の概要】
【発明が解決しようとする課題】
【０００６】
ところで、押出しブローボトルにおいて、口部に対してアルミシール等のシール材を熱融着等により固着させて、口部を封止する場合がある。この場合には、シール材のスムーズな開封作業を可能とさせるために、シール材の開封強度（固着強度）を高くしすぎないことが望まれる。
【０００７】
しかしながら、上記従来の押出しブローボトルの口部にシール材を固着することを想定した場合、外側周部よりも上方に位置する内側周部の上面にシール材を固着することになるので、内側周部に形成されている切断痕に対してもシール材が固着されてしまう。そのため、シール材を剥離する際に、シール材に連られて切断痕が上方に持ち上がり易く、シール材が切断痕から剥れ難くなってしまう。これにより、シール材の開封強度が大きくなってしまう傾向があった。
さらにシール材の剥離時、切断痕が上方に持ち上がる前に、シール材が切断痕から剥れる場合も考えられる。従って、シール材の剥離時に、シール材に連られて切断痕が上方に持ち上がる場合と、持ち上がらない場合と、のいずれかが生じることが想定され、開封強度にばらつきが生じ易いうえ、剥離の安定性に欠けるものであった。
【０００８】
本発明は、このような事情に鑑みてなされたものであって、その目的は、シール材の開封強度を抑制することができ、シール材を抵抗少なくスムーズに剥離することができるボトルを提供することである。
【課題を解決するための手段】
【０００９】
（１）本発明に係るボトルは、口部を有する合成樹脂製の容器本体を備えたボトルであって、前記口部は、ボトル軸方向に延びる口筒部と、前記口筒部の上端開口縁から前記ボトル軸方向の上方に向けて突出するように形成されると共に、上端面にシール材が固着される環状の突出壁と、を備え、前記突出壁は、該突出壁よりも径方向の外側において前記上端開口縁を露出させるように、前記口筒部の外径よりも小さい外径で形成され、前記口筒部の外周面には、前記上端開口縁に連設されると共に径方向の外側に向けて突出した切断痕が形成されている。
【００１０】
本発明に係るボトルによれば、シール材が固着される突出壁の上端面を、切断痕よりも上方に位置させているので、突出壁の上端面に対してシール材を熱融着等によって固着するときに、シール材と切断痕とが接触し難い。そのため、切断痕に対するシール材の固着を抑制しながら、シール材を突出壁の上端面に固着することが可能である。そのため、従来のように切断痕によってシール材が剥れ難くなるような不都合が生じ難い。従って、シール材の開封強度（固着強度）を抑制して、高くなり過ぎてしまうことを防止できるので、シール材を抵抗少なくスムーズに剥離することができる。さらに、切断痕に対するシール材の固着を抑制できるので、シール材の剥離の確実性を向上することができると共に、開封強度のばらつきも抑えることができる。
【００１１】
さらに、突出壁の上端面にシール材を固着させるので、突出壁における径方向の幅を変化させることで、口筒部の肉厚を変化させることなくシール材の固着面積を調整することができる。そのため、例えば口筒部の肉厚自体を薄肉にすることなく、シール材の固着面積を小さくすることが可能である。従って、口筒部の肉厚を維持して、口筒部の強度を適切に維持したまま、突出壁における径方向の幅の変化によってシール材の固着面積を適切に調整することができ、シール材を剥離し易いボトルとすることができる。
【００１２】
（２）前記突出壁は、前記突出壁の外周面と前記切断痕の外端部との間の径方向に沿った間隔よりも、前記突出壁の上端面と前記口筒部の上端開口縁との間の前記ボトル軸方向に沿った間隔の方が大きくなるように形成されても良い。
【００１３】
この場合には、突出壁の外周面と切断痕の外端部との間の径方向に沿った間隔よりも、口筒部の上端開口縁と突出壁の上端面との間のボトル軸方向に沿った段差を大きくすることができるので、突出壁の上端面にシール材を固着する際に、切断痕に対してシール材をさらに接触し難くすることができる。特に、突出壁の外径よりも若干大きいサイズのシール材を固着する場合には、シール材の外周縁部側が突出壁よりも径方向の外側に飛び出てしまう。このような場合であっても、突出壁の段差を大きくすることができるので、シール材の外周縁部側が切断痕に対して接触することを効果的に抑制することができる。
さらに、突出壁の段差を大きくすることができるので、シール材を突出壁の上端面に例えば熱融着によって固着する場合であっても、加熱等の影響によって段差が潰れ難い。そのため、上述した作用効果を適切に奏功することができる。
【００１４】
（３）前記突出壁の上端面は、径方向の沿った幅が０．８ｍｍ以上、１．５ｍｍ以下の範囲内とされても良い。
【００１５】
この場合には、シール材を固着する際の固着幅を０．８ｍｍ以上、１．５ｍｍ以下の範囲内とすることができるので、シール材の固着面積を適切に確保することができる。従って、シール材を剥離する際の開封強度を抑制しつつ、シール材が不意に剥れてしまうことを防止することができる。従って、シール材の固着の安定性と、シール材の容易な剥離性とを両立させることができる。
【発明の効果】
【００１６】
本発明に係るボトルによれば、シール材の開封強度を抑制することができ、シール材を抵抗少なくスムーズに剥離することができる。
【図面の簡単な説明】
【００１７】
【図１】本発明に係る押出しブローボトル（ボトル）の実施形態を示す外観側面図である。
【図２】図１に示すＡ部分を拡大した縦断面図である。
【図３】図２に示す切断痕がＵＰＩ成形によって形成される場合の一例を示した縦断面図である。
【発明を実施するための形態】
【００１８】
以下、本発明に係るボトルの実施形態について図面を参照して説明する。
図１に示すように、本実施形態の押出しブローボトル（ボトル）１は合成樹脂製のボトルであって、口部２、肩部３、胴部４及び底部５を有する有底筒状の容器本体１０を備えている。なお、押出しブローボトル１は、パリソンを利用した押出しブロー成形によって形成される。
【００１９】
合成樹脂としては、例えばポリプロピレン（ＰＰ）、ポリエチレンやポリエチレンテレフタレート（ＰＥＴ）等が挙げられる。ただし、本実施形態の押出しブローボトル１は、１種類の合成樹脂により形成される場合に限定されるものではなく、異種の合成樹脂を積層することで形成されても構わない。
例えば、主材樹脂及びバリア性樹脂の２種類の合成樹脂を積層することで押出しブローボトル１を形成しても構わない。この場合、主材樹脂としては、例えば上述したＰＰ等の樹脂が挙げられる。また、バリア性樹脂は、例えばガス（酸素や二酸化炭素等）や、湿気等の水分や、紫外線等の光や、香り等の匂い成分等が主材樹脂を透過することを規制するバリア性を有する樹脂であり、バリアする対象物に応じて適宜選択される樹脂とされる。例えば、ガスに対するバリア性を発揮させる場合には、ナイロン系樹脂やエチレンビニルアルコール共重合体樹脂等が挙げられ、水分に対するバリア性を発揮させる場合には、環状ポリオレフィン系樹脂等が挙げられる。
【００２０】
ただし、本実施形態の押出しブローボトル１において、異種の合成樹脂を積層することで容器本体１０を形成した場合、互いに積層される各層同士は接着され、それによって剥離不能とされている。
【００２１】
なお、押出ブローボトル１内に充填される内容物としては、例えば調味料等の食品、粉末状の医薬品、液体ヨーグルト、栄養ドリンク等の飲料が挙げられるが、この場合に限定されるものではない。
特に本実施形態の押出ブローボトル１は、バージンシール性（未開封性）や、高いバリア性及び密封性等が要求される場合に好適に利用することができる。特に内容物の品質等を適切に維持するためには、高いバリア性及び密封性が求められ、例えば内容物が食品の場合にはその傾向がより強くなる。本実施形態の押出ブローボトル１は、このような要求に応えることができるボトルとして好適に利用することが可能である。なお、押出しブローボトル１の内容量としては、例えば６００ｍｌ以下とされている。
【００２２】
口部２、肩部３、胴部４及び底部５は、それぞれの中心軸線を共通軸上に位置させた状態で、この順に連設されている。以下、この共通軸をボトル軸Ｏといい、ボトル軸Ｏ方向に沿って口部２側を上方、その反対側を下方という。また、ボトル軸Ｏ方向から見た平面視で、ボトル軸Ｏに交差する方向を径方向といい、ボトル軸Ｏ回りに周回する方向を周方向という。
【００２３】
口部２、肩部３及び底部５は、それぞれ径方向に沿う横断面視形状が円形状とされている。ただし口部２、肩部３及び底部５の形状は、この場合に限定されるものではなく、例えば横断面視で楕円状或いは多角形状に形成されていても構わない。
胴部４は、後述する複数のパネル面１２が周方向に並んだ横断面視多角形状に形成されている。ただし、胴部４の形状についてもこの場合に限定されるものではなく、適宜変更して構わない。
【００２４】
肩部３と胴部４との接続部分、及び胴部４と底部５との接続部分には、それぞれ径方向内側に向けて凹んだ凹溝１１が全周に亘って連続して形成されている。ただし、凹溝１１は、連続する環状である必要がなく、例えば周方向に間隔をあけて複数形成し、各凹溝１１を周方向に延びた周溝状に形成しても良い。さらに凹溝１１の数は、２つに限定されるものではなく、１つだけ形成しても構わないし、ボトル軸Ｏ方向に間隔をあけて３つ以上形成しても構わない。さらには、凹溝１１は必須なものではなく、具備しなくても構わない。
【００２５】
胴部４には、減圧吸収用のパネル面１２が周方向に間隔をあけて複数形成されている。さらに、胴部４において周方向で隣り合うパネル面１２同士の間に位置する部分は、ボトル軸Ｏ方向に沿って延びる柱部１３とされている。つまり、胴部４には、パネル面１２と柱部１３とが胴部４のほぼ全長に亘って周方向に交互に配設されている。
【００２６】
パネル面１２は、ボトル軸Ｏ方向を長手方向とする矩形状に形成され、その中央部分には径方向内側に向けて凹んだ凹部１４が形成されている。図示の例では、凹部１４はボトル軸Ｏ方向に沿って延びるように形成されている。ただし、凹部１４は必須なものではなく具備しなくても構わない。さらに、凹部１４に代えて例えば径方向外側に膨らんだ凸部を形成しても構わない。
【００２７】
図１及び図２に示すように、口部２は、肩部３の上端部から上方に向かって突出する円筒状に形成され、シール材２０によって封止可能とされている。さらに本実施形態では、シール材２０によって封止された口部２に対して図示しない打栓キャップを装着することが可能とされている。なお、図１ではシール材２０の図示を省略している。
【００２８】
打栓キャップは、少なくとも口部２の内側に密に嵌合される図示しない内筒部と、口部２を径方向外側から囲む図示しない外筒部と、を備えた有頂筒状のキャップとされ、口部２に対して上方から所定の打栓力（押圧力）で押圧されることによって（すなわち打栓によって）口部２に装着される。具体的には、打栓キャップは、後述する係合突起３６に対して外筒部がアンダーカット嵌合することで、上方に抜け止めされた状態で口部２に装着可能とされている。
ただし、打栓キャップは必須なものではなく、具備しなくても構わない。さらには、打栓キャップに代えて、例えば口部２に螺着されるネジキャップを採用しても構わない。
【００２９】
口部２は、肩部３の上端部から上方に向かって延びた口筒部３０と、口筒部３０の上端開口縁３０ａからさらに上方に向けて突出するように形成され、上端面３１ａにシール材２０が固着される環状の突出壁３１と、を備えている。
【００３０】
口筒部３０の外周面には、ネックリング３５及び係合突起３６がボトル軸Ｏ方向に間隔をあけて形成されている。
ネックリング３５は、口筒部３０の外周面から径方向外側に向かって突出すると共に、周方向に延びるように形成されている。図示の例では、ネックリング３５は周方向に延びる平面視円弧状に形成されると共に、周方向に等間隔をあけて並ぶように形成されている。ただし、この場合に限定されるものではなく、例えば周方向の全周に亘って延びるようにネックリング３５を環状に形成しても構わない。
【００３１】
係合突起３６はネックリング３５よりも上方に配置され、口筒部３０の外周面から径方向外側に向かって突出すると共に、周方向の全周に亘って延びる環状に形成されている。
図示の例では、係合突起３６は、上方から下方に向かうにしたがって径方向外側に向けて延びるように形成され、斜め上方を向いた断面テーパ状の傾斜面３７と、傾斜面３７の下端部から下方に向けてボトル軸Ｏ方向に沿って延びた接触面３８と、接触面３８の下端部から下方に向かうにしたがって径方向内側に向けて延びるように形成され、斜め下方を向いた断面テーパ状の係合面３９と、を備えている。
【００３２】
上述のように係合突起３６が形成されているので、容器本体１０の口部２に対して打栓キャップを上方から押圧（打栓）すると、打栓キャップの外筒部が傾斜面３７上を摺動しながら拡径し、係合突起３６を上方から下方に向けて乗り越えた後、係合面３９に対して下方から係合する。
これにより、打栓キャップは、係合突起３６に対して外筒部がアンダーカット嵌合された状態で口部２に装着可能とされている。
【００３３】
突出壁３１は、口筒部３０における上端開口縁３０ａのうち内周面寄りに配置され、突出壁３１よりも径方向外側において上端開口縁３０ａを上方に露出させるように、口筒部３０の外径よりも小さい外径で形成されている。
これにより、突出壁３１よりも径方向外側に位置する部分には、口部２の全周に亘って凹んだ環状の段差部４０が形成されている。
【００３４】
また突出壁３１は、口筒部３０の外径よりも小さい外径で形成されているので、突出壁３１の上端面３１ａにおける径方向に沿った幅Ｗ１は、口筒部３０における上端部の肉厚Ｔよりも小さい。
突出壁３１の上端面３１ａにおける径方向に沿った幅Ｗ１は、例えば０．８ｍｍ以上、１．５ｍｍ以下とされている。また口筒部３０における上端部の肉厚Ｔは、例えば１．１ｍｍ以上、２．５ｍｍ以下とされている。さらに突出壁３１の上端面３１ａと口筒部３０の上端開口縁３０ａとの間のボトル軸Ｏ方向に沿った間隔（すなわち段差部４０の高さ）Ｈは、例えば０．４ｍｍ以上、１．０ｍｍ以下とされている。
【００３５】
なお、突出壁３１の内周面は、上方に向かうにしたがって径方向外側に向けて延びた断面テーパ状の傾斜面３１ｂとされている。ただし、傾斜面３１ｂは必須なものではなく、具備しなくても構わない。
【００３６】
上述のように構成された突出壁３１の上端面３１ａには、先に述べたようにシール材２０が例えば熱融着等によって固着される。シール材２０としては、例えば熱融着（ヒートシール）可能なアルミシート等が挙げられるが、特に限定されるものではない。なお、内容物に対するバリア性の向上のため、アルミシート等の高いバリア性を具備するシール材を用いることが好ましい。
【００３７】
さらに、口筒部３０の外周面のうち上端開口縁３０ａとの接続部分には、上端開口縁３０ａに連設されると共に、径方向外側に向けて突出した環状の切断痕４１が形成されている。切断痕４１は、口筒部３０の上端開口縁３０ａと面一状に連設された上端面４１ａと、上端面４１ａにおける外周縁部（すなわち切断痕４１の外端部）から下方に向かうにしたがって径方向内側に向かって延びることで、斜め下方を向いた傾斜面４１ｂと、を有し、断面三角形状に形成されている。
【００３８】
上述の切断痕４１が形成された口部２において、突出壁３１の外周面と切断痕４１における上端面４１ａの外周縁部との間の径方向に沿った間隔（すなわち段差部４０及び切断痕４１の合計幅）Ｗ２は、例えば０．３ｍｍ以上、０．７ｍｍ以下とされている。
従って、突出壁３１は、先に述べた間隔Ｈ（段差部４０の高さ）の方が、間隔Ｗ２（段差部４０及び切断痕４１の合計幅）よりも大きくなるように形成されている。
【００３９】
具体的に、本実施形態では、突出壁３１の上端面３１ａにおける径方向に沿った幅Ｗ１は、１ｍｍとされている。突出壁３１の外周面と切断痕４１における上端面４１ａの外周縁部との間の径方向に沿った間隔Ｗ２（段差部４０及び切断痕４１の合計幅）は、０．６７ｍｍとされている。さらに突出壁３１の上端面３１ａと口筒部３０の上端開口縁３０ａとの間のボトル軸Ｏ方向に沿った間隔Ｈ（段差部４０の高さ）は、０．７ｍｍとされている。
【００４０】
なお、切断痕４１は、図３に示すように押出しブロー成形する際に、パリソンを挟持する成形金型５０と、パリソンに対して上方から押し込まれるプラグ５１に設けられた切断用凸部５２と、の当接による喰い切りによって不要部分Ｄが切断、除去されることで形成される。
【００４１】
（ボトルの作用）
上述のように構成された押出しブローボトル１によれば、図２に示すように、シール材２０が固着される突出壁３１の上端面３１ａを、切断痕４１よりも上方に位置させているので、突出壁３１の上端面３１ａに対してシール材２０を熱融着等によって固着するときに、シール材２０と切断痕４１とを接触させ難くすることができる。そのため、切断痕４１に対するシール材２０の固着を抑制しながら、シール材２０を突出壁３１の上端面３１ａに固着することが可能である。
【００４２】
これにより、従来のように切断痕４１によってシール材２０が剥れ難くなるような不都合が生じ難い。従って、シール材２０の開封強度（固着強度）を抑制して、高くなり過ぎてしまうことを防止できるので、シール材２０を抵抗少なくスムーズに剥離することができる。さらに、切断痕４１に対するシール材２０の固着を抑制できるので、シール材２０の剥離の確実性を向上することができると共に、開封強度のばらつきも抑えることができる。
【００４３】
以上説明したように、本実施形態の押出しブローボトル１によれば、シール材２０の開封強度を抑制することができ、シール材２０を抵抗少なくスムーズに剥離することができる。従って、シール材２０による封止に対応したＵＰＩ成形可能な口部２を具備する押出しブローボトル１とすることができ、バージンシール性（未開封性）や、高いバリア性及び密封性等が要求されるボトルとして好適に利用することができる。
【００４４】
また、突出壁３１の上端面３１ａにシール材２０を固着させるので、突出壁３１における径方向の幅を変化させることで、口筒部３０の肉厚を変化させることなくシール材２０の固着面積を調整することが可能である。そのため、例えば口筒部３０の肉厚自体を薄肉にすることなく、シール材２０の固着面積を小さくすることが可能である。従って、口筒部３０の肉厚を維持して、該口筒部３０の強度を適切に維持したまま、突出壁３１における径方向の幅の変化によってシール材２０の固着面積を適切に調整することができ、シール材２０を剥離し易いボトルとすることができる。
【００４５】
また、口筒部３０の上端開口縁３０ａと突出壁３１の上端面３１ａとの間のボトル軸Ｏ方向に沿った間隔Ｈ（段差部４０の高さ）を大きくすることができるので、突出壁３１の上端面３１ａにシール材２０を固着する際に、切断痕４１に対してシール材２０をさらに接触し難くすることができる。
特に、突出壁３１の外径よりも若干大きいサイズのシール材２０を固着する場合には、図２に示すようにシール材２０の外周縁部側が突出壁３１よりも径方向外側に飛び出てしまう。このような場合であっても、段差部４０の段差を大きくすることができるので、シール材２０の外周縁部側が切断痕４１に対して接触することを効果的に抑制することができる。
【００４６】
さらに、段差部４０の段差を大きくすることができるので、シール材２０を突出壁３１の上端面３１ａに例えば熱融着によって固着する場合であっても、加熱等の影響によって段差が潰れ難い。従って、上述した各作用効果を適切に奏功することができる。
【００４７】
さらに、突出壁３１の上端面３１ａにおける径方向に沿った幅を、０．８ｍｍ以上、１．５ｍｍ以下としているので、シール材２０の固着面積を適切に確保することができる。従って、シール材２０を剥離する際の開封強度を抑制しつつ、シール材２０が不意に剥れてしまうことを防止することができる。そのため、シール材２０の固着の安定性と、シール材２０の容易な剥離性とを両立させることができる。
【００４８】
以上、本発明の実施形態を説明したが、これらの実施形態は例として提示したものであり、発明の範囲を限定することは意図していない。実施形態は、その他様々な形態で実施されることが可能であり、発明の要旨を逸脱しない範囲で、種々の省略、置き換え、変更を行うことができる。実施形態やその変形例には、例えば当業者が容易に想定できるもの、実質的に同一のもの、均等の範囲のものなどが含まれる。
【００４９】
例えば上記実施形態において、突出壁３１の上端面３１ａにおける径方向に沿った幅Ｗ１を適切に確保することができれば、例えば突出壁３１よりも径方向内側に段差部が形成されても構わない。
【００５０】
さらに、上記実施形態では、突出壁３１の上端面３１ａと口筒部３０の上端開口縁３０ａとの間のボトル軸Ｏ方向に沿った間隔Ｈ（段差部４０の高さ）の方が、突出壁３１の外周面と切断痕４１における上端面４１ａの外周縁部との間の径方向に沿った間隔Ｗ２（段差部４０及び切断痕４１の合計幅）よりも大きくなるように形成した場合を例に挙げて説明したが、この場合に限定されるものではない。
例えば、間隔Ｈ（段差部４０の高さ）は、間隔Ｗ２（段差部４０及び切断痕４１の合計幅）と同等であっても構わないし、小さくても構わない。
【符号の説明】
【００５１】
Ｈ…突出壁の上端面と口筒部の上端開口縁との間のボトル軸方向に沿った間隔
Ｏ…ボトル軸
Ｗ１…突出壁の上端面における径方向に沿った幅
Ｗ２…突出壁の外周面と切断痕の外端部との間の径方向に沿った間隔
１…押出しブローボトル（ボトル）
２…口部
２０…シール材
３０…口筒部
３０ａ…口筒部の上端開口縁
３１…突出壁
３１ａ…突出壁の上端面
４１…切断痕
【図１】
2020070074.tif 000003
【図２】
2020070074.tif 000004
【図３】
2020070074.tif 000005